【事件の表示】
　特許第２９１４３５０号「液晶表示装置」の特許に対する特許異議の申立てについて、次のとおり決定する。
【結　論】
　特許第２９１４３５０号の特許を取り消す。
【理　由】
１．手続の経緯・本件発明
　本件は、昭和５８年５月１３日に出願した特願昭５８−８３６９６号の一部を平成９年５月３０日に新たな出願としたものであって、平成１１年４月１６日に特許第２９１４３５０号として設定登録がなされ、その後、特許異議の申立がなされ、取消理由通知がなされたものであり、本件特許発明（以下、「本件発明」という。）は、特許請求の範囲に記載された次の事項により特定されるものである。
「複数の光シャッターと、前記複数の光シャッターに対応する赤、緑、青の三色の色要素を有するカラーフィルターと、光源とを有する液晶表示装置において、
　前記光源は、前記赤、緑、青の三色の色要素に対応したそれぞれの波長帯域に急峻な発光スペクトルを有する光源であり、
　前記赤の色要素のカラーフィルターは、前記光源の赤の発光スペクトルに対応する波長帯域の光を透過し、前記光源の緑の発光スペクトルのピーク波長、前記光源の青の発光スペクトルのピーク波長、及び前記緑の発光スペクトルのピーク波長と前記青の発光スペクトルのピーク波長との間の波長帯域の光の透過を連続的に抑制し、且つ６００ｎｍより長い波長帯域において最大透過率を示し、５５０ｎｍより短い波長帯域において最小透過率を示し、
　前記緑の色要素のカラーフィルターは、前記光源の緑の発光スペクトルに対応する波長帯域の光を透過し、前記光源の赤の発光スペクトルのピーク波長、及び前記光源の青の発光スペクトルのピーク波長の光の透過を抑制し、且つ５００ｎｍから６００ｎｍの間の波長帯域において最大透過率を示し、前記最大透過率を示す波長より長い波長帯域では６００ｎｍよりも長い波長帯域において最小透過率を示し、前記最大透過率を示す波長より短い波長帯域では４５０ｎｍより短い波長帯域において最小透過率を示し、
　前記青の色要素のカラーフィルターは、前記光源の青の発光スペクトルに対応する波長帯域の光を透過し、前記光源の緑の発光スペクトルのピーク波長、前記光源の赤の発光スペクトルのピーク波長、及び前記緑の発光スペクトルのピーク波長と前記赤の発光スペクトルのピーク波長との間の波長帯域の光の透過を連続的に抑制し、且つ５００ｎｍより短い波長帯域において最大透過率を示し、５５０ｎｍより長い波長帯域において最小透過率を示し、
　前記赤に対応する発光スペクトルは前記赤のカラーフィルターの光透過特性に対して急峻な特性を有し、前記緑に対応する発光スペクトルは前記緑のカラーフィルターの光透過特性に対して急峻な特性を有し、前記青に対応する発光スペクトルは前記青のカラーフィルターの光透過特性に対して急峻な特性を有することを特徴とする液晶表示装置。」
２．引用刊行物記載の発明
　先の取消理由通知に引用した特開昭５６−７２４８５号公報（以下、「引用刊行物」という。）の第１頁左下欄第５〜１２行には、
「三原色の光を発する面光源と、偏光子と、電気光学効果を持つ透光性強誘電体材料と、この透光性強誘電体材料の表面に設けられた信号電極と走査電極とよりなるマトリクス電極と、このマトリクス電極の各交叉部分に設けられた対向構造を有する電極と、三原色が規則的に配列された加色法三原色のカラーフィルターと、検光子とが順次互いに平行に配置されたカラー画像表示装置。」と記載され、第１図にはこのカラー画像表示装置の概略構成図が、第４図には画素を構成するマトリクス電極の交叉部が、また、第９図には各画素とカラーフィルターの配列関係が図示されている。
　また、透光性誘電体材料とマトリクス電極等について、
「簡単に原理説明を行なうと、面光源１より発した光７，７’は、偏光子２で直線偏光され、電気光学材料である透光性強誘電体材料３の表面に付けられたマトリクス電極４に信号電圧が加えられ、その電圧の大小により透光性強誘電体材料３の屈折率が変化し、その結果、光に遅延現象が生じ、光に応じて検光子６を通過する光７と遮蔽される光７’が生じ、その結果、各画素に応じた光の通過量により画像を形成することができる。」（第２頁左上欄第１３行〜右上欄第１行）と記載され、
　カラーフィルターについては、
「カラー表示方法はモザイクフィルター５の赤、緑、青の三原色を個々につけ赤、緑、青の３個で１画素とする。」（第２頁右上欄第４〜６行）と記載されるとともに、その各色の分光透過率特性が「第８図は、加色法の三原色である赤（Ｒ）、緑（Ｇ）、青（Ｂ）の有機カラーフィルターの分光透過率特性を示す。」（第４頁左上欄第１１〜１３行）とあるように第８図にそれぞれ一点鎖線、実線、破線で示されている。
　第８図によれば、赤（Ｒ）のカラーフィルターはほぼ５４０ｎｍから６３０ｎｍにかけて透過率が上昇し６３０ｎｍ以上ではほぼ一定の最大透過率を示すものであり、緑（Ｇ）のカラーフィルターはほぼ５３０ｎｍにピークを有し、ほぼ６３０ｎｍ及び４７０ｎｍに向けてそれぞれ透過率が低下していくものであり、青（Ｂ）のカラーフィルターはほぼ４３０ｎｍにピークを有し、ほぼ５５０ｎｍ及び３７０ｎｍに向けてそれぞれ透過率が低下していくものであると認められる。
　さらに、面光源１については、
「面光源１は赤、緑、青の３原色の発光波長がシャープな分布を示す蛍光灯が適している。」（第２頁右上欄第６〜８行）と記載され、さらに「また、第８図のカラーフィルターの分光透過率の差違を補正するために、青の発光が強くなり、次いで緑、赤の順に強い発光を示す蛍光体を用いた蛍光灯を使用すると良い結果が得られた。」（第４頁右上欄第６〜９行）と記載されている。
　これらの記載によれば、引用刊行物には、
「赤、緑、青の発光を示す蛍光体を用いた赤、緑、青の３原色の発光波長がシャープな分布を示す蛍光灯からなる面光源１と、偏光子２と、電気光学効果を持つ透光性強誘電体材料３と、この透光性強誘電体材料の表面に設けられた信号電極と走査電極とよりなるマトリクス電極４と、このマトリクス電極の各交叉部分に設けられた対向構造を有する電極と、第８図に示される分光透過率特性を有する赤、緑、青の三原色が前記マトリクス電極の各交叉部分に規則的に配列された加色法三原色のモザイクカラーフィルター５と、検光子６とが順次互いに平行に配置されたカラー画像表示装置。」の発明（以下、「引用発明」という。）が記載されているものと認められる。
３．対比・判断
　本件発明と引用発明を比較する。
　引用刊行物の上記透光性誘電体材料とマトリクス電極等についての記載によれば、引用発明の偏光子２と、電気光学効果を持つ透光性強誘電体材料３と、この透光性強誘電体材料の表面に設けられた信号電極と走査電極とよりなるマトリクス電極４と、このマトリクス電極の各交叉部分に設けられた対向構造を有する電極と、検光子６で構成される画素部分は、マトリックス電極４に加えられた信号電圧の大小により光の透過量が変えられるものであるから、これが光シャッターを構成していることは明らかであり、また、この画素部分が複数あって、各画素に対応して赤、緑、青の三色の色要素を有するカラーフィルター５が設けられていることも第９図から明白であるから、本件発明と引用発明は、ともに
「複数の光シャッターと、該複数の光シャッターに対応する赤、緑、青の三色の色要素を有するカラーフィルターと、光源とを有する表示装置。」の発明である点で一致しているものと認められる。
　また、引用発明の光源１は、赤、緑、青の発光を示す蛍光体を用いた赤、緑、青の３原色の発光波長がシャープな分布を示す蛍光灯からなるものであるから、当然に赤、緑、青の三色の色要素に対応したそれぞれの波長帯域にシャープなすなわち急峻な発光スペクトルを有するものである。
　そして、引用発明の赤のカラーフィルターは、図８の一点鎖線に示されるような透過率特性を示すものであるから、引用発明の光源である蛍光灯の赤の発光スペクトルに対応する波長帯域の光を透過し、緑の発光スペクトルのピーク波長、青の発光スペクトルのピーク波長、及び緑の発光スペクトルのピーク波長と青の発光スペクトルのピーク波長との間の波長帯域の光の透過を連続的に抑制し、且つ６００ｎｍより長い波長帯域において最大透過率を示し、５５０ｎｍより短い波長帯域において最小透過率を示すものであると認められる。
　また、引用発明の緑のカラーフィルターは、図８の実線に示されるような透過率特性を示すものであるから、引用発明の光源である蛍光灯の緑の発光スペクトルに対応する波長帯域の光を透過し、赤の発光スペクトルのピーク波長、及び青の発光スペクトルのピーク波長の光の透過を抑制し、且つ５００ｎｍから６００ｎｍの間の波長帯域において最大透過率を示し、前記最大透過率を示す波長より長い波長帯域では６００ｎｍよりも長い波長帯域において最小透過率を示し、前記最大透過率を示す波長より短い波長帯域では４５０ｎｍより短い波長帯域において最小透過率を示すものであると認められる。
　さらに、引用発明の青のカラーフィルターは、図８の破線に示されるような透過率特性を示すものであるから、引用発明の光源である蛍光灯の青の発光スペクトルに対応する波長帯域の光を透過し、緑の発光スペクトルのピーク波長、赤の発光スペクトルのピーク波長、及び緑の発光スペクトルのピーク波長と赤の発光スペクトルのピーク波長との間の波長帯域の光の透過を連続的に抑制し、且つ５００ｎｍより短い波長帯域において最大透過率を示し、５５０ｎｍより長い波長帯域において最小透過率を示すものであると認められる。
　また、上記各色要素のカラーフィルターの透過率特性において、その上部の形状は、いずれも、なだらかな曲線形状であって、到底、鋭いとか尖ったとか急峻なとかシャープなといえるものでないことは明らかである。
　これに対して、引用発明の蛍光灯は「赤、緑、青の３原色の発光波長がシャープな分布を示す」ものであるから、この蛍光灯の発光スペクトルは、いずれも各発光ピークに対応する各色要素のカラーフィルターの透過特性に対してシャープな、言い換えれば、急峻な特性を有しているものと認められる。
　現に、赤、緑、青の発光を示す蛍光体を用いた蛍光灯の発光スペクトルの各発光ピークの形状は、本件特許図面第４図の市販の三波長域発光型蛍光管の発光スペクトル特性に示されているように（本件特許明細書第９段落の記載参照。）、また、取消理由通知に引用した特開昭５７−４０８５３号公報の第３図に示されているように、先端が尖ったものであり、いずれのピークも、引用刊行物の第８図に示されるカラーフィルターの各色の透過率特性に比べて、問題にならないほどに急峻なものである。
　以上のことから、本件発明と引用発明は、ともに
「複数の光シャッターと、該複数の光シャッターに対応する赤、緑、青の三色の色要素を有するカラーフィルターと、光源とを有する表示装置において、
　前記光源は、前記赤、緑、青の三色の色要素に対応したそれぞれの波長帯域に急峻な発光スペクトルを有する光源であり、
　前記赤の色要素のカラーフィルターは、前記光源の赤の発光スペクトルに対応する波長帯域の光を透過し、前記光源の緑の発光スペクトルのピーク波長、前記光源の青の発光スペクトルのピーク波長、及び前記緑の発光スペクトルのピーク波長と前記青の発光スペクトルのピーク波長との間の波長帯域の光の透過を連続的に抑制し、且つ６００ｎｍより長い波長帯域において最大透過率を示し、５５０ｎｍより短い波長帯域において最小透過率を示し、
　前記緑の色要素のカラーフィルターは、前記光源の緑の発光スペクトルに対応する波長帯域の光を透過し、前記光源の赤の発光スペクトルのピーク波長、及び前記光源の青の発光スペクトルのピーク波長の光の透過を抑制し、且つ５００ｎｍから６００ｎｍの間の波長帯域において最大透過率を示し、前記最大透過率を示す波長より長い波長帯域では６００ｎｍよりも長い波長帯域において最小透過率を示し、前記最大透過率を示す波長より短い波長帯域では４５０ｎｍより短い波長帯域において最小透過率を示し、
　前記青の色要素のカラーフィルターは、前記光源の青の発光スペクトルに対応する波長帯域の光を透過し、前記光源の緑の発光スペクトルのピーク波長、前記光源の赤の発光スペクトルのピーク波長、及び前記緑の発光スペクトルのピーク波長と前記赤の発光スペクトルのピーク波長との間の波長帯域の光の透過を連続的に抑制し、且つ５００ｎｍより短い波長帯域において最大透過率を示し、５５０ｎｍより長い波長帯域において最小透過率を示し、
　前記赤に対応する発光スペクトルは前記赤のカラーフィルターの光透過特性に対して急峻な特性を有し、前記緑に対応する発光スペクトルは前記緑のカラーフィルターの光透過特性に対して急峻な特性を有し、前記青に対応する発光スペクトルは前記青のカラーフィルターの光透過特性に対して急峻な特性を有する表示装置。」の発明である点で一致する。
　一方、本件発明は、液晶を用いた光シャッターを用いる「液晶表示装置」であるのに対し、引用発明は、光シャッターとして電気光学効果を持つ透光性強誘電体材料を用いている点で相違する。
　上記相違点について検討する。
　本願出願前において光シャッターとして液晶を用いることは周知事項であり（必要ならば、例えば、特公昭５４−１８８８６号公報、特開昭４９−９４２２８号公報を参照されたい。）、引用発明の透過性強誘電体材料による光シャッターも液晶による光シャッターも透過する光の強弱を制御する点において全く同一のものであるから、引用発明における透過性強誘電体材料による光シャッターに代えて本件発明のごとく液晶による光シャッターを採用することは、当業者が容易になし得たものと認められる。
４．むすび
　したがって、本件発明は、上記引用刊行物に記載された発明及び上記周知事項に基づいて当業者が容易に発明できたものと認められ、特許法第２９条第２項の規定により特許をすることができないものであるから、本件発明についての特許は、拒絶の査定をしなければならない特許出願に対してされたものである。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、結論のとおり決定する。
【異議決定日】
平成１２年１０月３日（２０００．１０．３）